(57)【要約】      （修正有）【課題】ごみ回収時に、常にごみ袋を立てた状態に保持しておくことができ、ごみの投入作業が容易で、持ち運びや収納に便利なゴミ投入用筒を提供する。【解決手段】本体の材料に板状の合成樹脂又は板状の紙の表面をコーティング加工したもの等を用いて筒状１にし、これをごみ袋９の内側に縦に挿入して使用する。筒の上部へりに複数の切り込み２を設け、必要に応じてこの切り込みにごみ袋の一端部を挟み込み、ごみ袋が下がらないようにして立てた状態に保持しておくことができる。また、同筒の上部へりに厚み又は上部へりの下方に穴を設け、持ち手として使用できるようにしてもよい。合成樹脂や紙製の本体に複数の縦方向折り目としての凹部を設け、折りたたみを可能としてもよい。【選択図】図２
0003191302.tif 000002
【実用新案登録請求の範囲】
【請求項１】
筒の本体は、合成樹脂又は表面をコーティング加工した紙の板を素材とし、筒状に構成したことを特徴とする持ち運びが容易なごみ投入用筒。
【請求項２】
前記本体の上部へりに複数の切り込みを設け、ごみ袋の一端部を挟み込むことを特徴とする請求項１に記載の持ち運びが容易なごみ投入用筒。
【請求項３】
前記本体の底部に切り込みを複数カ所設け、この底部が外方向に広がることを特徴とする請求項１又は２に記載の持ち運びが容易なごみ投入用筒。
【請求項４】
前記本体の上部へりに厚み又は／及び上部へりの下方に複数の穴を設けたことを特徴とする請求項１ないし３記載の持ち運びが容易なごみ投入用筒。
【請求項５】
前記本体に複数の縦方向折り目を設け、折りたたみできることを特徴とする請求項１ないし４に記載の持ち運びが容易なごみ投入用筒。
【考案の詳細な説明】
【技術分野】
【０００１】
本考案は、ごみの回収に使用する用具に関するものである。
【背景技術】
【０００２】
ごみ袋にごみを回収する際に、通常はごみ袋を手で保持しながら行っており、作業がしにくく、効率が悪い。また、樹木の枝等を投入した場合、枝先でごみ袋に穴が開いたり、亀裂したりして破損する場合がある。さらに、ごみをごみ袋全体に詰め込もうとして上から押し込むとごみ袋がつぶれたり、破れが生じたりして、十分に詰め込むことができない。加えて、ごみ収納に関する既存用具等は固定式が多く、移動しながらの作業に不向きであり、用具を多く必要とする多人数での作業や使用時以外の保管整理がしにくい。
以上により、特に屋外での多量のごみ回収作業において多くの労力を要し、不便であった。
【考案の概要】
【考案が解決しようとする課題】
【０００３】
ごみの回収作業において、ポリ製などのごみ袋を手で保持しなければならなかった。樹木の枝等を投入すると、枝先でごみ袋に穴が開いたり、亀裂したりして破損する場合があった。ごみをごみ袋全体に詰め込もうと上から押し込むとごみ袋が潰れたり破れたりした。
以上の課題を解決することを目的とするものである。
【課題を解決するための手段】
【０００４】
本考案は、本体の材料に板状の合成樹脂又は板状の紙の表面をコーティング加工したもの等を用い筒状にしたもので、これをごみ袋の内側に縦に挿入して、その筒にごみを投入し袋の中に容易に詰め込めるようにした。また、筒の底部に切り込みを入れてその部分が外方向に広がるようにした。さらに、筒の上部へりに厚み又は上部へりの下方に複数の穴を設け、筒を持ちやすくした。加えて、筒の上部へりに複数の切り込みを入れ、ごみ袋の一端部を挟み込めるようにした。
【考案の効果】
【０００５】
第１の考案は、本体形状を筒状にし、これをごみ袋の内側に縦に挿入して立てて使用することにより、ごみ袋を手で持たなくても自立させることができ、且つ作業時の移動も容易となる。また、ごみ袋の内側に本体を挿入することによりごみはスムースに入り、さらに、樹木の枝等を投入してもごみ袋に直接当たらず、ごみ袋の破損がなくなる。
第２の考案は、本体上部へりに複数の切り込みを入れることにより、これにごみ袋の一端部を挟み込み、ごみ袋が下がるのを防ぐことができる。
第3の考案は、本体底部の複数カ所に切り込みを入れることにより、筒の底部が詰め込んだごみに押されて外方向に均一に広がるため、ごみ袋全体に詰め込むことができる。
第４の考案は、本体の上部へりに厚みを持たせたり、又は上部へりの下方に穴を設けることにより、これを持ち手としてごみの投入量に応じて本体をごみ袋から適宜引き上げたり、ごみを詰め終えた後で本体を取り出したりすることが容易となる。
第５の考案は、合成樹脂板や紙製の本体に複数の縦方向折り目としての凹部を設けたことにより、容易に折りたため、持ち運びや収納保管が容易となる。
【図面の簡単な説明】
【０００６】
【図１】本体の上部へりに持ち手用の厚みを持たせたタイプのごみ投入用筒の全体斜視図
【図２】ごみ投入用筒をごみ袋に挿入して使用した例を示す図
【図３】図１のＡ−Ａの断面図
【図４】本体の上部へりの下方に持ち手用の穴を設けたタイプのごみ投入用筒の全体斜視図
【図５】ごみ投入用筒をごみ袋に挿入し、ごみを詰め込んでいく過程を示す図
【考案を実施するための形態】
【０００７】
ごみ回収におけるごみの袋詰め作業を、労力の削減と効率の向上を図り、取扱いやすく、収納もコンパクトな形態の用具によって行うという目的を、持ち運びが容易なごみ投入用筒を使用することにより実現した。
【実施例】
【０００８】
以下、実施例を添付の図面に基づいて説明する。
【０００９】
図１は、本体の上部へり３に持ち手用の厚みを持たせたタイプのごみ投入用筒の全体斜視図である。全体は六角柱の筒になっており、２は上部へりの切り込み部で、ごみ袋の一端部を挟み込み、ごみ袋の落下防止に使用するものである。４は、ごみ投入用筒１の上部へり３に設けた厚み部であり、これを持ち手として使用することにより、ごみ投入用筒１をごみの投入量に応じて引き上げたり、ごみを詰め終えた段階で取り外したりすることが容易となる。５は、本体６に設けた縦方向折り目としての凹部で、これによりごみ投入用筒１の折りたたみが可能となり、持ち運びや収納保管が容易となる。６は、ごみ投入用筒の本体であり、合成樹脂又は紙の表面にコーティング加工を施した板等を素材とした。これにより、成形がしっかりするとともに滑りが良く、ごみ投入が容易となる。７は、本体底部の切り込み部で、本体底部が投入されたごみに押されて外方向に広がるようにした。これにより、ごみ袋全体にごみを詰め込むことが容易となる。８は、本体底部が投入されたごみに押されて外方向に広がりやすくするための、本体６に設けた横方向折り目としての凹部である。
【００１０】
図２は、ごみ投入用筒１をごみ袋９に縦に挿入し、上部へりの切り込み部２にごみ袋９の一端部を挟み込んだ状態を示し、これによりごみ袋９を自立させることができる。よって、ごみ袋９を手に持つことなく、ごみの投入が容易となる。
【００１１】
図３は、図１のＡ−Ａの断面図で、本体底部が投入されたごみに押されて外方向に広がる状態を示したもので、仮想線は外方向へ広がった状態を示している。２は、上部へり３に設けた数ミリ程度の切り込み部で、ごみ袋の一端部を挟み込むためのものである。４は、ごみ投入用筒１の上部へり３に設けた厚み部で、ごみ投入用筒１の持ち手として使用する。５は、本体６に設けた縦方向折り目としての凹部で、ごみ投入用筒１を折りたたみやすくするためのものである。７は、本体底部が投入されたごみに押されて外方向に広がるようにするための切り込み部である。
【００１２】
図４は、本体の上部へり下方に持ち手用の穴を設けたタイプのごみ投入用筒の全体斜視図で、３はごみ投入用筒１の上部へりである。１０は、上部へり３の下方に設けた持ち手用の穴である。前記穴１０は、指先を差し込めるようにしたものであり、容易にごみ投入用筒１を持ち上げることができる。
【００１３】
図５は、ごみ投入用筒をごみ袋に挿入し、ごみを詰め込んでいく過程を段階的に示した図である。図５（１）は、ごみ詰め込み作業の初期段階で、ごみ袋９にごみ投入用筒１が挿入され、ごみ袋９が自立している状態を示している。図５（２）は、ごみを詰め込むことにより、筒底部の切り込み部と折り目８で筒底部が外方向へ広がって、ごみ袋９にごみ１１を十分詰め込むことができる状態を示す図である。図５（３）は、さらにごみ１１を詰め込んで、ごみ投入用筒１を上方へ持ち上げ、ほぼ詰め込み終えた状態を示している。図５（４）は、ごみ１１を詰め込み終えて、ごみ投入用筒１をごみ袋９から取り外した状態を示す図である。
【符号の説明】
【００１４】
１  ごみ投入用筒
２  上部へりの切り込み部
３  上部へり
４  厚み部
５  縦方向折り目
６  本体
７  本体底部の切り込み部
８  横方向折り目
９  ごみ袋
１０  穴
１１  ごみ
【図１】
0003191302.tif 000003
【図２】
0003191302.tif 000004
【図３】
0003191302.tif 000005
【図４】
0003191302.tif 000006
【図５】
0003191302.tif 000007
【手続補正書】
【提出日】平成26年3月31日(2014.3.31)
【手続補正１】
【補正対象書類名】実用新案登録請求の範囲
【補正対象項目名】請求項４
【補正方法】変更
【補正の内容】
【請求項４】
前記本体の上部へりに厚み又は／及び上部へりの下方に複数の穴を設けたことを特徴とする請求項１ないし３のいずれか一項に記載の持ち運びが容易なごみ投入用筒。
【手続補正２】
【補正対象書類名】実用新案登録請求の範囲
【補正対象項目名】請求項５
【補正方法】変更
【補正の内容】
【請求項５】
前記本体に複数の縦方向折り目を設け、折りたたみできることを特徴とする請求項１ないし４のいずれか一項に記載の持ち運びが容易なごみ投入用筒。